(57)【要約】【課題】  電池等の電源を必要とせず、単純な機構の駆動手段を使用することによって、安価で、長時間の揺動運動が得られる揺動玩具を提供すること。【解決手段】  上部に水溜部を備え、該水溜部の底部に孔が形成された台座と、該台座に揺動自在に設置され、下方にアームが延設され、そのアームの先端に落水受けを有する揺動体とを備え、前記水溜部に蓄えた水を前記孔から前記揺動体の前記落水受けに落下させ、それによって前記揺動体を揺動させるようにしたことを特徴とする。【選択図】  図３
2007020853.tif 000002
【特許請求の範囲】
【請求項１】
上部に水溜部を備え、該水溜部の底部に孔が形成された台座と、該台座に揺動自在に設置され、下方にアームが延設され、そのアームの先端に水滴受けを有する揺動体とを備え、
前記水溜部に蓄えた水を前記孔から前記揺動体の前記落水受けに落下させ、それによって前記揺動体を揺動させるようにしたことを特徴とする揺動玩具。
【請求項２】
複数の前記揺動体の軸を互いに平行に配置するとともに、それらの軸をリンクによって互いに連結し、一方の軸の回動運動に、他方の軸の回動運動を同期させるようにしたことを特徴とする請求項１に記載の揺動玩具。
【請求項３】
前記揺動体の軸よりも下方の部位にウェイトを配設したことを特徴とする請求項１または２に記載の揺動玩具。
【請求項４】
前記揺動体を、花模型と、該花模型を挟むようにして左右に配置した葉模型とによって構成したことを特徴とする請求項１〜３のいずれかに記載の揺動玩具。
【発明の詳細な説明】
【技術分野】
【０００１】
本発明は、揺動玩具に関するもので、詳しくは、揺動体、例えば花模型と葉模型をそれぞれ揺動自在に配設し、それらを揺動させることによって躍動感のある植木鉢玩具を得ることができる揺動玩具に関するものである。
【背景技術】
【０００２】
揺動玩具としては、揺動体として葉模型を植木鉢（台座）に揺動自在に配設し、それらを駆動手段で揺動させることによって躍動感のある植木鉢玩具を得るようにしたものがある（例えば、特許文献１）。
【０００３】
特許文献１に開示されている植木鉢玩具の駆動手段では、葉模型と台座に磁石をそれぞれ配設し、葉模型を初期停止位置から偏奇させると、その揺動体に働く重力作用と磁石の反発作用との協働によって葉模型を揺動させるようにしている。
【特許文献１】特開２００５−１５２５１４号公報（図１および図２参照）
【発明の開示】
【発明が解決しようとする課題】
【０００４】
しかしながら、上記特許文献１の駆動手段では、駆動手段の要素として永久磁石を使用した場合には、重力（慣性力）と磁力とのバランスをとるための調整が難しく、調整が良好であっても、長時間に亘る揺動運動は得られず、また、駆動手段の要素として電磁石を使用した場合には、電源が必要なばかりでなく、磁励タイミングを合わせる手段が必要になり、装置が複雑になってしまう。
【０００５】
本発明は、かかる問題点を解決するためになされたもので、電池等の電源を必要とせず、単純な機構の駆動手段を使用することによって、安価で、長時間の揺動運動が得られる揺動玩具を提供することを目的としている。
【課題を解決するための手段】
【０００６】
請求項１記載の揺動玩具は、上部に水溜部を備え、該水溜部の底部に孔が形成された台座と、該台座に揺動自在に設置され、下方にアームが延設され、該アームの先端に落水受けを有する揺動体とを備え、前記水溜部に蓄えた水を前記孔から前記揺動体の該落水受けに落下させ、それによって前記揺動体を揺動させるようにしたことを特徴とする。
【０００７】
請求項２記載の揺動玩具は、請求項１の発明において、複数の前記揺動体の軸を互いに平行に配置するとともに、それらの軸をリンクによって互いに連結し、一方の軸の回動運度に、他方の軸の回動運動を同期させたことを特徴とする。
【０００８】
請求項３記載の揺動玩具は、請求項１または２の発明において、前記揺動体の軸よりも下方の部位にウェイトを配設したことを特徴とする。
【０００９】
請求項４記載の揺動玩具は、請求項１〜３のいずれかの発明において、前記揺動体を、花模型と、該花模型を挟むようにして左右に配置した葉模型とによって構成したことを特徴とする。これに代えて、揺動体を葉模型のみ又は花模型のみで構成してもよい。
【発明の効果】
【００１０】
請求項１の発明によれば、台座の水溜部に溜めた水によって、揺動体を揺動させるので、駆動手段が単純で安価であり、しかも、水溜部の水が無くなるまでの間は、揺動体の揺動運動が保障されるので、長時間の揺動運動が得られる。
【００１１】
請求項２の発明によれば、複数の揺動体が互いに同期して揺動されるので、例えば、左右対称に揺動体が配置されるような場合には、それらの揺動体が同期して揺動するので、見栄えが良くなる。
【００１２】
請求項３の発明によれば、ウェイトによって、慣性力が増大するので、滑らかな運動が保障される。
【００１３】
請求項４の発明によれば、例えば、左右の揺動体が同期して揺動するので、見栄えのよい揺動玩具が得られる。
【発明を実施するための最良の形態】
【００１４】
以下に、本発明に係る揺動玩具を、図面を参照しながら説明する。
図１は本発明に係る揺動玩具として植木鉢玩具を示した斜視図、図２はその植木鉢玩具の一部を省略して示した分解斜視図、図３は図１におけるＡ−Ａ線断面図、図４は図１におけるＢ−Ｂ線断面図である。
【００１５】
図示した植木鉢玩具（揺動玩具）１は、花模型２を中央にして、左右に葉模型３，３を配置した植木鉢玩具で、それらの花模型２および葉模型３，３を台座４に揺動自在に配設し、それらの花模型２および葉模型３，３を水によって揺動させるものである。
【００１６】
台座４は、上部に開口する水溜容器５を備えている。該水溜容器５は、上部に開口する台座本体６に収容され、該台座本体６の上部開口縁に嵌着させることによって、台座本体６に保持される。
【００１７】
水溜容器５は、中央に矩形状の孔７を有し、該孔の周縁に周壁８が立設されている。周壁８の相対向する壁には、軸受け９，１０，１０がそれぞれ形成されている。また、水溜容器５の底壁５ａには、３つの細孔１１，１２，１２が後述する位置に形成されている。
一方、花模型２および葉模型３，３は、互いに平行に配置された軸１３，１４，１４にそれぞれ固着され、それらの軸１３，１４，１４の端部は、軸受け９，１０，１０にそれぞれ嵌挿されている。
【００１８】
花模型２および葉模型３，３は、軸１３，１４，１４の下方にアーム１５，１６，１６を備えており、該アーム１５，１６，１６の先端は、軸１３，１４，１４に対してほぼ垂直方向に延びている。そして、それらのアーム１５，１６，１６の先端には、平板状の落水受け１７，１８，１８が形成されている。また、アーム１５，１６，１６には、ウェイト１９，２０，２０がそれぞれ設置されている。
また、葉模型３，３の落水受け１８，１８は、それぞれの軸１４，１４から同距離に位置されており、それぞれの軸１４，１４はリンク機構２１によって互いに連結されている。リンク機構２１は、一方の軸１４に一端が固着され、先端に溝２２を備えたリンク２１ａと、他方の軸１４に一端が固着され、先端にピン２３を備えたリンク２１ｂとによって構成され、ピン２３が溝２２に挿嵌されている。
【００１９】
また、この植木鉢玩具１では、タンク２４を備えている。このタンク２４は、水溜容器５から落下した水を受止めて溜めるものである。そして、このタンク２４には、台座本体６が収容される。
【００２０】
さらに、この植木鉢玩具１では、水溜容器５の開口を覆うカバー２５を備えている。このカバー２５は、直径方向に２分割され、中央部に孔２６を有している。そして、このカバー２５は、それぞれを水溜容器５の開口にねじ止めし、水溜容器５の孔７を覆う。この状態では、水溜容器５とカバー２５との間に環状の隙間が形成される。そして、その隙間から水溜容器５内に水を注入するようになっている。
【００２１】
このように構成された植木鉢玩具１では、図１に示すように、花模型２を中央にして葉模型３，３が左右に配置され、花模型２は左右に揺動され、葉模型３，３は上下に揺動される。
水を水溜容器５内に注入すると、その水は水溜容器５のそれぞれの細孔１１．１２，１２から花模型２の落水受け１７および葉模型３，３の落水受け１８，１８に落下する。すると、その水の重力により、花模型２および葉模型３，３がそれぞれ揺動される。その際、ウェイト１９，２０は、花模型２および葉模型３，３の運動に慣性力を増大させ、それによって花模型２および葉模型３，３の運動を滑らかにする。
また、この植木鉢１では、葉模型３，３が互いにリンク機構２１によって連結されているので、葉模型３，３が同期して上下に揺動する。
【００２２】
花模型２および葉模型３の落水受け１７，１８，１８に落下した水は、花模型２および葉模型３，３の揺動に伴って、台座本体６の底部に落下し、タンク１４に溜められる。
【００２３】
なお、上記実施の形態では、揺動玩具として、花模型２および葉模型３，３を揺動させる植木鉢玩具１を示したが、例えば、人形模型，動物模型等の他の模型を採用することもできる。人形模型又は動物人形模型とする場合、頭部を揺動体とし、胴部を台座とすることができる。また、人形模型又は動物模型の下側にベースを設け、人形模型又は動物模型を揺動体とし、ベースを台座とすることもできる。
【図面の簡単な説明】
【００２４】
【図１】本発明に係る揺動玩具として植木鉢玩具を示した斜視図である。
【図２】その植木鉢玩具の一部を省略して示した分解斜視図である。
【図３】図１におけるＡ−Ａ線断面図である。
【図４】図１におけるＢ−Ｂ線断面図である。
【符号の説明】
【００２５】
１  植木鉢玩具（揺動玩具）
２  花模型（揺動体）
３  葉模型（揺動体）
４  台座
５  水溜容器
６  台座本体
７  孔
８  周壁
９，１０  軸受け
１１，１２  細孔
１３，１４  軸
１５，１６  アーム
１７，１８  落水受け
１９，２０  ウェイト
２１  リンク機構
２１ａ，２１ｂ  リンク
２２  溝
２３  ピン
２４  タンク
２５  カバー
２６  孔
【図１】
2007020853.tif 000003
【図２】
2007020853.tif 000004
【図３】
2007020853.tif 000005
【図４】
2007020853.tif 000006